(57)【要約】【課題】正面および側面周囲方向を含む広い角度範囲に光を照射することが可能な小型のＬＥＤ電球を提供する。【解決手段】電球の正面照射方向にドーム型レンズ付きＬＥＤ（１）を備え、この照射方向と反対側に基板（２）をドーム型レンズ付きＬＥＤ（１）の光軸と平行に備え、ドーム型レンズ付きＬＥＤ（１）の照射方向をＺ軸方向として照射方向をＺ軸方向とほぼ直角を成すＸ軸方向に向けて実装したチップ型ＬＥＤ（３）と、Ｘ軸、Ｚ軸とほぼ直角を成すＹ軸方向に向けて実装したチップ型ＬＥＤ（３）を、基板（２）の表裏両面に備えることを特徴とする。【選択図】図１
2004343025.tif 000002
【特許請求の範囲】
【請求項１】
正面方向に向けて光を照射するドーム型レンズ付きＬＥＤ（１）を備え、この照射方向と反対側に基板（２）を備え、この上に照射方向が前記ドーム型レンズ付きＬＥＤ（２）とほぼ直角を成す様にチップ型ＬＥＤ（３）を実装したことを特徴とするＬＥＤ電球。
【請求項２】
前記基板（２）はドーム型レンズ付きＬＥＤ（１）の光軸に対して平行に備え、ドーム型レンズ付きＬＥＤ（１）の照射方向をＺ軸方向とした時、Ｚ軸方向とほぼ直角を成すＸ軸方向に照射方向を向けたチップ型ＬＥＤ（３）と、Ｘ軸、Ｚ軸とほぼ直角を成すＹ軸方向に照射方向を向けたチップ型ＬＥＤ（３）を基板（２）の表裏両面に実装することを特徴とする請求項１記載のＬＥＤ電球。
【請求項３】
前記チップ型ＬＥＤ（３）はドーム型レンズ付きＬＥＤに接近して実装し、ドーム型レンズ付きＬＥＤ（１）および基板（２）のチップ型ＬＥＤ（３）実装部位を、光透過性材料からなるレンズカバー（４）で覆い、ドーム型レンズ付きＬＥＤ（１）の反対側に電球用ソケットに装着可能な電気的接続手段（５）を備え、電球の内部空間に前記チップ型ＬＥＤ（３）とドーム型レンズ付きＬＥＤ（１）を点灯するための電源回路（６）を備えることを特徴とする請求項１記載のＬＥＤ電球。
【発明の詳細な説明】
【０００１】
【発明の属する技術分野】
本発明は、フィラメントを用いた電球に近い広角度の照光を可能としたＬＥＤを光源に用いた小型のＬＥＤ電球に関するものである。
【０００２】
【従来の技術】
従来の小型のＬＥＤ電球は、ドーム型レンズ付きＬＥＤを正面方向のみに向けて備えたものであった。
【０００３】
【発明が解決しようとする課題】
これには次のような欠点があった。
照射角度が正面の狭い範囲に絞られていたため、フィラメント電球の使用を想定した照明装置にＬＥＤ電球を用いると、照明装置に備わる反射板に対しては光が照射されず、ＬＥＤの直接光のみが正面の狭い範囲に照射されていた。このため、フィラメント電球と同様な広い範囲を照射することが出来なかった。
本発明は、この欠点を失くすためになされたものである。
【０００４】
【課題を解決するための手段】
電球の正面照射方向にドーム型レンズ付きＬＥＤ（１）を備え、この照射方向と反対側に基板（２）をドーム型レンズ付きＬＥＤ（１）の光軸と平行に備え、ドーム型レンズ付きＬＥＤ（１）の照射方向をＺ軸方向とした時照射方向をＺ軸方向とほぼ直角を成すＸ軸方向に向けて実装したチップ型ＬＥＤ（３）と、Ｘ軸、Ｚ軸とほぼ直角を成すＹ軸方向に向けて実装したチップ型ＬＥＤ（３）を、基板（２）の表裏両面に備える。
本発明は以上の構成よりなるＬＥＤ電球である。
【０００５】
【発明の実施の形態】
以下、本発明の実施の形態について説明する。
ＬＥＤ電球の正面照射方向に向けて光を照射する様にドーム型レンズ付きＬＥＤ（１）を備える。この照射方向と反対側、すなわちドーム型レンズ付きＬＥＤ（１）の後方に基板（２）を備える。
この基板（２）は両面配線基板である。基板（２）の配置は、ドーム型レンズ付きＬＥＤ（１）の光軸と実装面が平行になる様にする。
この基板（２）上には複数のチップ型ＬＥＤ（３）とこれらを駆動するための電源回路（６）を実装する。
【０００６】
チップ型ＬＥＤ（３）の実装方向は、次の通りである。
ドーム型レンズ付きＬＥＤ（１）の照射方向を図５の通りＺ軸方向とした場合、図３に示す様に、実装方向を照射方向がＺ軸方向とほぼ直角を成すＸ軸方向に向けたものと、Ｘ軸、Ｚ軸とほぼ直角を成すＹ軸方向に向けたものを基板（２）の表裏両面に実装する。
すなわち、基板（２）片面につき、最低２個、両面で最低４個のチップ型ＬＥＤを実装する。
この時、チップ型ＬＥＤ（３）の光を有効に使うため、各チップ型ＬＥＤ（３）の照射方向前方に別のチップ型ＬＥＤ（３）や電源回路（６）の部品を配置しない。また、これらのチップ型ＬＥＤ（３）はなるべくドーム型レンズ付きＬＥＤ（１）に接近して実装する。
図４のＸ軸方向を照射するチップ型ＬＥＤ（３）にはサイドライト式のものを用いると実装が容易である。
図４はチップ型ＬＥＤの照光範囲（７）が１００度の場合の配光図である。
【０００７】
以上により、Ｘ軸、軸両方向への照光範囲は図４の通りほぼ３６０度となり、本発明のＬＥＤ電球を用いた照明装置に備わる反射板をフィラメント式電球使用時と同様に有効に機能させることが出来、この結果広い範囲を照射することが可能となる。また、ＬＥＤ電球内の光源数そのものがチップ型ＬＥＤ（３）により増えるため、照度も上がる。
また、本発明の構造により、上記のような優れた配光性と照度を得ながら、ＬＥＤ電球のサイズを小型に抑えることが出来、かつ、チップ型ＬＥＤ（３）の配置のために基板（２）を用いてこれをＺ軸と平行に配置したことで、製造が容易なものとしている。
【０００８】
基板（２）のチップ型ＬＥＤ（３）実装部分およびドーム型レンズ付きＬＥＤ（１）を、光透過性材料からなるレンズカバー（４）で覆う様に備える。
このレンズカバー（４）によって、ＬＥＤと回路を保護しつつ、光の拡散、配光を調整する。ドーム型レンズ付きＬＥＤ（１）と反対側に電球用ソケットに装着可能な電気的接続手段（５）を備える。図１はウエッジ式電球の場合の形状の実施例である。
【０００９】
ＬＥＤ電球の内部空間に、前記チップ型ＬＥＤ（３）とドーム型レンズ付きＬＥＤ（１）を点灯するための電源回路（６）を収納する。
各ＬＥＤの電源回路（６）は、固定抵抗器１個と保護ダイオード１個等で構成出来るため、ドーム型レンズ付きＬＥＤ（１）の電源回路（６）は、このリード線に直接接続するか、基板上に実装するか、もしくはチップ型ＬＥＤ（３）の電源回路（６）と兼用する。
ドーム型レンズ付きＬＥＤ（１）のリード線は、基板（２）上の部品と、チップ型ＬＥＤ（３）の照射方向前方を避けて通し、基板（２）もしくは、電気的接続手段（５）に接続する。
【００１０】
【発明の効果】
本発明により、小型のＬＥＤ電球１つで広い照射角度が得られ、フィラメント電球の使用を想定した照明機具に用いた場合でも、フィラメント電球と同等の照明範囲となる。また、複数の光源を内蔵するため、従来の小型ＬＥＤ電球よりも明るい照度が得られる。
【図面の簡単な説明】
【図１】本発明の側面図
【図２】本発明の側面断面図
【図３】Ａ−Ａ断面図とチップ型ＬＥＤの照射方向説明図
【図４】Ａ−Ａ断面におけるチップ型ＬＥＤの配光ならびにＸ軸Ｙ軸方向説明図
【図５】側面図から見たＺ軸方向説明図
【符号の説明】
（１）  ドーム型レンズ付きＬＥＤ
（２）  基板
（３）  チップ型ＬＥＤ
（４）  レンズカバー
（５）  電気的接続手段
（６）  電源回路
（７）  チップ型ＬＥＤの照光範囲
【図１】
2004343025.tif 000003
【図２】
2004343025.tif 000004
【図３】
2004343025.tif 000005
【図４】
2004343025.tif 000006
【図５】
2004343025.tif 000007